(57)【要約】【課題】大きな表示が可能になり、かつ低消費電力であり、長時間の表示にも耐えうる、リアルタイムに情報を書き換えることが可能な新聞、雑誌メディアとして使え、ちらしのような大量頒布効果が期待でき、コンテンツ仲介装置として使用することが可能で、優れた表示機能を有する電子表示媒体等が望まれていた。【解決手段】表示部と、表示内容を制御する表示制御部と、外部から表示情報を受信可能であり、かつ表示制御部と電気的に接続された非接触ＩＣタグとを備える電子表示媒体とそれを用いた電子表示媒体の表示情報書き換え方法及び電子表示媒体からの表示情報取得方法を提供する。【選択図】図１
2004029259.tif 000002
【特許請求の範囲】
【請求項１】
表示部と、表示内容を制御する表示制御部と、外部から表示情報を受信可能であり、かつ表示制御部と電気的に接続された非接触ＩＣタグとを備える電子表示媒体。
【請求項２】
前記非接触ＩＣタグが、周波数がホッピングされた信号で前記表示情報を受信可能である非接触ＩＣタグであることを特徴とする請求項１記載の電子表示媒体。
【請求項３】
請求項１又は請求項２に記載された電子表示媒体の表示情報書き換え方法であつて、
携帯端末から非接触ＩＣタグが表示情報を受信する段階と、非接触ＩＣタグから表示情報が表示制御部に伝達される段階と、前記表示情報を表示部に表示する段階とからなる電子表示媒体の表示情報書き換え方法。
【請求項４】
請求項３記載の電子表示媒体の表示情報書き換え方法において、携帯端末から受信装置に質問信号を送信する段階と、受信装置が質問信号に応答して表示情報を携帯端末に送信する段階と、携帯端末が非接触ＩＣタグに対し表示情報を送信する段階とをさらに備えることを特徴とする電子表示媒体の表示情報書き換え方法。
【請求項５】
請求項１又は請求項２に記載された電子表示媒体からの表示情報取得方法であつて、
電子表示媒体に備えられる非接触ＩＣタグとして、外部への表示情報の送信も可能である非接触ＩＣタグを用い、携帯端末が非接触ＩＣタグに表示情報要求信号を送信する段階と、非接触ＩＣタグが電子表示媒体内に記憶された表示情報を前記携帯端末に送信する段階と、携帯端末が受信した表示情報を受信する段階とからなる電子表示媒体からの表示情報取得方法。
【発明の詳細な説明】
【０００１】
【発明の属する技術分野】
本発明は、非接触ＩＣタグを備える電子表示媒体に関する。また、本発明は、その表示媒体の表示情報書き換え方法及びその表示媒体を用いた表示情報取得方法に関する。
【０００２】
【従来の技術】
従来の画像表示装置で代表される電子表示媒体における表示情報取得方法は、自装置が予め記憶しておくか、放送を受信するか、インターネット、電話網に接続してダウンロードするか等してコンテンツを得て表示していた。
【０００３】
しかしこれでは、各機種のコンテンツ入手機能、表示機能、携帯機能に束縛されていた。
【０００４】
つまり、コンテンツ入手機能を充実して大量のデータを所有できる場合は、その電子表示媒体も大きくなるのが一般的であり、それにより携帯適性が減じていた。
【０００５】
他方、携帯性能を重要視した電子表示媒体は、その表示面積が小さいという問題がある。
【０００６】
一方、リアルタイムに情報を書き換えることが可能な新聞、雑誌メディアとして使える考え方もあったが、これでは、ちらしのように各人に頒布するということは、メモリー容量等の関係により、コスト的に不可能であった。
【０００７】
また、この様なものは一般的にデータ放送の対象になり、その場合のテレビ等は大量コンテンツ情報を保有する事は可能であったが、携帯性は無いため、必要な情報を携帯しながら見ることはできない。
【０００８】
それを補うために、電子表示媒体にコンテンツを一旦データ蓄積型テレビ等で受信し、これを必要に応じて移して表示することも可能であるが、電子表示媒体の表示機能ではデータ放送のコンテンツを満足に表示することは難しかった。
【０００９】
【発明が解決しようとする課題】
本発明は、最良のコンテンツ表示環境を得る技術を提供するものである。
【００１０】
具体的には、大きな表示が可能になり、かつ低消費電力であり、長時間の表示にも耐えうる、リアルタイムに情報を書き換えることが可能な新聞、雑誌メディアとして使える電子表示媒体が求められていた。
【００１１】
また、コンテンツ情報を直接表示するだけでなく、各人が持つ電子表示媒体に直接的もしくは携帯端末等を通じて間接的に配信することで、ちらしのような大量頒布効果が期待できる機器が求められていた。
【００１２】
また、コンテンツ仲介装置として使用することが可能で、優れた表示機能を有する電子表示媒体が求められていた。
【００１３】
【課題を解決するための手段】
請求項１に係る課題を解決するための手段は、表示部と、表示内容を制御する表示制御部と、外部から表示情報を受信可能であり、かつ表示制御部と電気的に接続された非接触ＩＣタグとを備える電子表示媒体に係るものである。
【００１４】
請求項２に係る課題を解決するための手段は、前記非接触ＩＣタグが、周波数がホッピングされた信号で前記表示情報を受信可能である非接触ＩＣタグであることを特徴とする請求項１記載の電子表示媒体に係るものである。
【００１５】
請求項３に係る課題を解決するための手段は、請求項１又は請求項２に記載された電子表示媒体の表示情報書き換え方法であつて、
携帯端末から非接触ＩＣタグが表示情報を受信する段階と、非接触ＩＣタグから表示情報が表示制御部に伝達される段階と、前記表示情報を表示部に表示する段階とからなる電子表示媒体の表示情報書き換え方法に係るものである。
【００１６】
請求項４に係る課題を解決するための手段は、請求項３記載の電子表示媒体の表示情報書き換え方法において、携帯端末から受信装置に質問信号を送信する段階と、受信装置が質問信号に応答して表示情報を携帯端末に送信する段階と、携帯端末が非接触ＩＣタグに対し表示情報を送信する段階とをさらに備えることを特徴とする電子表示媒体の表示情報書き換え方法に係るものである。
【００１７】
請求項５に係る課題を解決するための手段は、請求項１又は請求項２に記載された電子表示媒体からの表示情報取得方法であつて、
電子表示媒体に備えられる非接触ＩＣタグとして、外部への表示情報の送信も可能である非接触ＩＣタグを用い、携帯端末が非接触ＩＣタグに表示情報要求信号を送信する段階と、非接触ＩＣタグが電子表示媒体内に記憶された表示情報を前記携帯端末に送信する段階と、携帯端末が受信した表示情報を受信する段階とからなる電子表示媒体からの表示情報取得方法に係るものである。
【００１８】
【発明の実施の形態】
図１に本発明の電子表示媒体の例を示す。
【００１９】
表示部としては、画像データを表示できるものであり、静止画像、動画像のいずれを表示するものでもよい。
【００２０】
表示方式としては、種々のものが用いられ、例えば、ＣＲＴ方式があげられるが、省スペースの要求から、薄型化可能な方式が好ましく、プラズマ方式、液晶方式、ＥＬ（エレクトロルミネッセンス）方式（有機ＥＬ及び無機ＥＬ）、フィールドエミッション方式等があげられる。さらに、可撓性を有する方式が、携帯性に優れるために好ましく、荷電性粒子をマイクロカプセルに封入し、画像表示を行う方式があげられる。
【００２１】
以下、この方式の説明を、図３乃至図７を用いて説明する。
【００２２】
まず、電子表示媒体の表示部（１１）の構成断面図の一例である図３を用いて以下示す。
【００２３】
紙、プラスチック等の可撓性を有する基材（１１ｅ）上に、ポリエチレンテレフタレート（ＰＥＴ）、ポリエチレンナフタレート（ＰＥＮ）、ポリイミド等の寸法安定性の優れたプラスチックフィルムに導電性層が形成されている電極フィルム（１１ｄ）、画像表示層（１１ｃ）、ポリエチレンテレフタレート（ＰＥＴ）、ポリエチレンナフタレート（ＰＥＮ）、ポリイミド等の寸法安定性の優れ透明なプラスチックフィルムに図示しないアクティブマトリックス電極、セグメント電極、又は単純マトリックス電極が形成されている透明電極フィルム（１１ｂ）及びこの表示部を保護する表面保護層（１１ａ）が積層されている。
【００２４】
この画像表示層（１０ｃ）は、エレクトロルミネセンス材料、ポリマー分散型液晶、強誘電性液晶、マイクロカプセル型電気泳動方式を用いた表示体を組み合わせて実現することができる。
【００２５】
このマイクロカプセル型電気泳動方式に用いるマイクロカプセル（１１０）の一例を図４に示す。
【００２６】
メタクリル酸樹脂、ユリア樹脂、アラビアゴム等をカプセル殻（１１１）とし、内部には酸化チタンからなる白の粒子（１１３）とカーボンブラックからなる黒の粒子（１１４）が、シリコーンオイル等の粘性の高い分散媒で分散され封入されている。白の粒子である酸化チタンは正電荷を帯びており、一方黒の粒子であるカーボンブラックは負電荷を帯びている。
【００２７】
このため、図５（ｂ）に示すように、二つの電極フィルム（１１ｂ、１１ｄ）に電界を印加し、１１ｂの電極フィルムが負極、１１ｄの電極フィルムが正極になった場合、正に帯電した白の粒子（１１３）が１１ｂの電極フィルム側に引かれ、黒の粒子（１１４）が１１ｄの電極フィルム側に引かれるので、１１ｂの透明電極側の上方から観察するとその部分が白く見える。
【００２８】
逆に１１ｂの電極フィルムが正極、１１ｄの電極フィルムが負極になった場合、正に帯電した白の粒子（１１３）が１１ｄの電極フィルム側に引かれ、黒の粒子（１１４）が１１ｂの電極フィルム側に引かれるので、１１ｂの透明電極側の上方から観察するとその部分が黒く見える。
【００２９】
画像表示層（１１ｃ）は、このようなマイクロカプセル（１１０）を多数有しており、電極フィルム（１１ｂ、１１ｄ）の各アドレス電極の電界を制御することで、図５（ａ）で「Ａ」という文字を黒で表示したように、所望の文字や図形を白と黒の画素で表示させることができる。
【００３０】
なお、各粒子は粘性の高い分散媒に分散されているので、一度電界を印加した後は、電源が切断されても粒子の位置が変化しなく、電源を切っても表示画像が消えない不揮発性を有する。
【００３１】
上記の例に於いては、マイクロカプセルは白黒の２種類の粒子を含有させたモノクロ（白黒）の表示であるが、異なる色の粒子を含有させてカラー表示させる或いは２種類以上の粒子を含有させることも可能である。
【００３２】
また、上記のマイクロカプセルでは白黒の２種類の粒子を含有させているが、１種類の粒子を用い、分散媒を黒に着色させることでもモノクロ（白黒）表示を実現することができる。
【００３３】
すなわち、図６に示すように白の粒子である酸化チタンを正電荷に帯電させ、黒に着色した分散媒（１１５）に分散させたマイクロカプセルを用い、二つの電極フィルム（１１ｂ、１１ｄ）に電界を印加し、１１ｂの電極フィルムが負極、１１ｄの電極フィルムが正極になった場合、正に帯電した白の粒子（１１３）が１１ｂの電極フィルム側に引かれ、黒に着色した分散媒（１１５）は必然的に１１ｄの電極フィルム側に押し下げられるので、１１ｂの透明電極側の上方から観察するとその部分が白く見える。
【００３４】
逆に、１１ｂの電極フィルムが正極、１１ｄの電極フィルムが負極になった場合、正に帯電した白の粒子（１１３）が１１ｄの電極フィルム側に引かれ、黒に着色した分散媒（１１５）は必然的に１１ｂの電極フィルム側に押し上げられるので、１１ｂの透明電極側の上方から観察するとその部分が黒に見える。
【００３５】
上記の例では、モノクロ（白黒）の電子表示媒体の例であるが、カラー画像表示の場合には図７に示すように画素単位に分割されたＲ（赤），Ｇ（緑），Ｂ（青）の色を有するカラーフィルタ（１１ｆ）を画素単位で電界を印加することができる透明電極フィルム（１１ｂ）側に設けることで実現できる。
【００３６】
すなわち、白い粒子が１１ｂ側に引かれている部分の観察光は白粒子で反射されカラーフィルタを通過してしてくるので、カラーフィルタの色が観察されることになる。
【００３７】
図７の例では、カラーフィルタのＲ画素部及びＧ画素部は白い粒子が１１ｂの透明電極フィルム側に引かれているのでＲ光及びＧ光が観察され、カラーフィルタのＢ画素部は黒い粒子が１１ｂの透明電極フィルム側に引かれているので観察光は吸収されＢ光は観察されない。
【００３８】
このように、画素単位で観察されるＲ，Ｇ，Ｂ光を制御することでカラー画像表示が可能となる。
【００３９】
この電子表示媒体は可撓性を有する材料で作製され、電極等のパターニングも印刷法、蒸着法でプラスチックフィルムに形成することが可能であり、電子表示媒体に適した大きいサイズを、用途、要望に応じて適宜選択することができる。この表示画面サイズは、通常ノート型パソコンの表示画面サイズ約２５ｃｍ（１０インチ）程度が実用的である。
【００４０】
また、画像表示層（１１ｃ）においては、マイクロカプセル（１１０）の位置配置は多少の変動があっても表示に問題は生じない。また、フィルムを用いて表示部が作製されているため、嵩張らず軽い表示媒体であり、且つ丸めたり折り畳んだりすることもできるので、本発明の用途である電子表示媒体として好適である。
【００４１】
この様な、荷電性粒子をマイクロカプセルに封入し、画像表示を行なう方式は低消費電力で表示が可能であり、携帯して用いる電子表示媒体には極めて優れている。
【００４２】
表示制御部は、画像信号を表示部に表示させる表示信号に変換したり、その表示信号を表示部に送る部分である。図１に示す様に、非接触ＩＣタグ１とは別に制御ＩＣ９及びドライバー７と分離している構成である。この構成は、非接触ＩＣタグ１のみで表示部６を制御できない形態である。
【００４３】
図１の構成では、非接触ＩＣタグ１から得られた画像信号を、制御ＩＣ９に送り、この制御ＩＣ９で、信号変換等を行ない、ドライバー７に表示信号を送り、ドライバー７が表示信号を表示部６に送っている。
【００４４】
なお、この場合の非接触ＩＣタグ１は、非接触方式で外部から表示情報を受信するＩＣタグのことである。例えば所定の回路を有するＩＣチップ上にアンテナを備えたものがあげられる。
【００４５】
図１で表される例では、非接触ＩＣタグが電気的に制御ＩＣと接続されている。この場合、下記▲１▼、▲２▼、▲３▼を少なくとも備えることが必要となる。
【００４６】
▲１▼信号送受信用のアンテナ
▲２▼回路（アンテナを介して受信した信号を、記憶手段に書きこむ等）
▲３▼記憶手段　例：メモリー
【００４７】
この非接触ＩＣタグは表示制御部と電気的に接続される。
【００４８】
なお、非接触ＩＣタグ１への電力の供給は、電子表示媒体本体から供給可能であるが、他の方式、非接触ＩＣタグにアンテナコイルを設け、非接触式にした場合は外部端末のアンテナから電力と情報の両者を得るようにすることもでき、消費電力と表示制御方式により適宜選択可能である。
【００４９】
非接触ＩＣタグ１の構造としては、ＲＯＭ２、ＲＡＭ３、ＣＰＵ４、メモリ５、ＲＦ回路３４、およびアンテナコイル３３から構成されている。
【００５０】
ＲＯＭ２は非接触ＩＣタグ１の動作を規定するプログラム、情報などを格納した不揮発性メモリである。通信規格等の情報は、ＲＯＭ２に格納しておくことが望ましい。
【００５１】
メモリ５はＥＥＰＲＯＭ等からなり、データを書換え可能に格納する不揮発性メモリであり、非接触ＩＣタグの動作を規定するプログラムはメモリ５に格納するようにしても良い。
【００５２】
この構成の場合の表示部６への情報の表示はＲＯＭ２内のプログラムおよびドライバ７の制御に基づいて行なう。
【００５３】
具体的動作としては、非接触ＩＣタグは記憶手段を有し、外部から取得した情報（画像、文字、音声等）を記憶する。
【００５４】
あるいは、その外部から取得した情報は、データ管理情報（例えばその情報毎に対応した番号）がつけられ、他の記憶装置に記憶され、データ管理情報だけが非接触ＩＣタグに記憶されていてもよい。
【００５５】
また、外部から取得した情報に対応づけられた補助情報（例えばＵＲＬ、メールアドレス）をさらに記憶していてもよい。
【００５６】
また、「外部」という意味は、本発明の電子情報媒体に対して表示情報を送る物、ということであり、例えば携帯端末があげられる。つまり、携帯電話等の携帯端末から、本発明の電子表示媒体が表示情報を受け取ることになる。
【００５７】
非接触ＩＣタグは、ＲＦ回路等、および各種アンテナの手段により、外部から信号の受信が可能であるものでも、外部から信号の受信が可能で、外部への信号の送信も可能であるものを用いてもよい。それらは、本発明の電子表示媒体に求められる機能によって使い分けられる。
【００５８】
また、携帯端末等の外部から非接触ＩＣタグに送られる場合は、この信号の周波数がホッピングされていることはノイズ対策に有効である、例えばブルートウース（商標、以下同じ）通信方式に準拠した信号があげられる。
【００５９】
以下、その動作形態をいくつかの例で説明する。
（動作形態１）
第一の動作例を図８のフローチャートを用いて説明する。
【００６０】
本例では、携帯端末を介してから非接触ＩＣタグが表示情報を受信し、電子表示媒体の表示情報を書き換える場合を示す例である。
【００６１】
なお、本例の携帯端末は、ブルートゥース通信チップを内蔵した携帯電話であるものとする。
【００６２】
また、電子表示媒体としては、電子ペーパー、液晶のような薄型で、携帯電話の表示装置より大型な表示装置を用意する。非接触ＩＣタグは、電子ペーパーに内蔵もしくは貼付のかたちで取り付ける構造のものとする。
【００６３】
まず、携帯端末は、オンラインで表示情報を得る２０１、ブルートゥース通信で表示情報を得る２０２、ホームページからダウンロードする２０３等の処理の結果、携帯端末内部で、表示情報入手２０４の処理を行う。
【００６４】
次に、携帯端末の内蔵記憶装置で表示情報記憶２０５の処理を行う。次に、携帯端末から非接触ＩＣタグに対して、携帯端末内部の表示情報をブルートゥース通信する２０６処理を行う。
【００６５】
その表示情報は、今度は携帯端末から非接触ＩＣタグが表示情報を受信する段階に相当する、非接触ＩＣタグにて受信され２０７る処理を行われる。
【００６６】
その表示情報は、、非接触ＩＣタグから表示制御部の一部である制御ＩＣに伝達２０８され、そこで信号変換２０９される処理を行われた後、その表示情報によるドライバーの駆動がなされ、その結果、従前の表示部で表示されていた情報に代わって、表示部でその表示情報に対応する情報が表示２１０される事により、電子表示媒体の表示情報書き換えが行われる。
【００６７】
具体的には、定期的、もしくは表示が必要な情報が発生した状況毎、もしくは、携帯端末と交信可能になった状況が発生すると、外部から表示情報を受信する。
【００６８】
なお、この場合に表示情報を送信するためや、表示情報を受信するためや、ブルートゥース通信チップを内蔵した携帯電話も考えられるが、ブルートゥース通信チップの価格等を考慮してその採否を適宜決定することが可能である。
【００６９】
（動作形態２）
第二の動作形態を図９のフローチャートを用いて説明する。
【００７０】
本例では、携帯端末から欲しいコンテンツ情報をテレビに要求する場合を示す例である。
【００７１】
なお、本例の携帯端末は、ブルートゥース通信チップを内蔵した携帯電話であり、テレビはデータ放送対応のテレビで、ブルートゥース通信チップを内蔵している、受信装置の一例である。
【００７２】
また、電子表示媒体としては、電子ペーパー、液晶のような薄型で、携帯電話の表示装置より大型な表示装置を用意する。非接触ＩＣタグは、電子ペーパーに内蔵もしくは貼付のかたちで取り付ける構造のものとする。
【００７３】
まず、携帯端末からテレビに対してコンテンツ情報取得要求情報をブルートゥース通信で送信を要求２２１する事から処理が始まる。
【００７４】
これに呼応してテレビでは、携帯端末からのコンテンツ情報取得要求情報に応じて表示情報をブルートゥース通信で送信２２２する処理を行う。これが、端末携帯から受信装置に質問信号を送信する段階に相当する。
【００７５】
次に、テレビからのコンテンツ情報を受信２２３する処理を行う。場合によっては、この様にして得られたコンテンツ情報を、各種記憶装置を用いて記憶する。これが、受信装置が質問信号に応答して表示情報を携帯端末に送信する段階に相当する。
【００７６】
次に、この表示を表示させようとする電子表示媒体を適宜選択指定し、コンテンツ情報を表示情報としてブルートゥース通信で送信２２４する処理を行う。具体的には、電子表示媒体に対して表示情報をブルートゥース（商標）規格に準拠した、周波数がホッピングされた信号で送信する。これが、端末携帯が非接触ＩＣタグに対し表示情報を送信する段階に相当する。
【００７７】
その表示情報は、今度は携帯端末から非接触ＩＣタグが表示情報を受信する段階に相当する、非接触ＩＣタグにて受信され２２５る処理を行われる。
【００７８】
その表示情報は、非接触ＩＣタグから表示制御部の一部である制御ＩＣに伝達２２６され、そこで信号変換２２７される処理を行われた後、その表示情報によるドライバーの駆動がなされ、その結果、従前の表示部で表示されていた情報に代わって、表示部でその表示情報に対応する情報が表示２２８される事により、電子表示媒体の表示情報書き換えが行われる。
【００７９】
（動作形態３）
第三の動作形態を図１０のフローチャートを用いて説明する。
【００８０】
本例では、電子表示媒体に備えられる非接触ＩＣタグとして、外部への表示情報の送信も可能である非接触ＩＣタグを用い、携帯端末から欲しいコンテンツ情報先に保持しているのが原則である場合を示す例である。
【００８１】
なお、本例の携帯端末と電子表示媒体は、ブルートゥース通信チップを内蔵した携帯電話であり、テレビはデータ放送対応のテレビで、ブルートゥース通信チップを内蔵しているものとする。
【００８２】
まず、電子表示媒体は、先にオンラインで表示情報を得る２４１、ブルートゥース通信で表示情報を得る２４２、ホームページからダウンロードする２４３等の処理の結果、電子表示媒体内部で、表示情報入手２４４の処理を行う。
【００８３】
次に、携帯端末から電子表示媒体に対してコンテンツ情報取得要求情報をブルートゥース通信で送信を要求２４５する事から処理が始まる。これが、携帯端末が非接触ＩＣタグに表示情報要求信号を送信する段階に相当する。
【００８４】
次に、非接触ＩＣタグでは、要求されたコンテンツ情報取得要求情報の有無を判断２４６する。既に保持しているコンテンツのみしか要求されない場合は、この処理は必要でないことは当然である。
【００８５】
その表示情報は、非接触ＩＣタグから表示制御部の一部である制御ＩＣに伝達２４７され、そこで信号変換２４８される処理を行われた後、その表示情報によるドライバーの駆動がなされ、その結果、従前の表示部で表示されていた情報に代わって、表示部でその表示情報に対応する情報が表示２４９される事により、電子表示媒体の表示情報書き換えが行われる。
【００８６】
他方、要求されたコンテンツ情報取得要求情報の有無を判断２４６した結果、電子表示媒体内に保持していない場合は、携帯端末に対して情報要求２５０を行う。これが、非接触ＩＣタグが電子表示媒体内に記憶された表示情報を前記携帯端末に送信する段階に相当する。
【００８７】
オンラインで表示情報を得る２４１、ブルートゥース通信で表示情報を得る２４２、ホームページからダウンロードする２４３等の処理を促す。この処理が実現されると、携帯端末が受信した表示情報を受信する段階に相当するものとなる。
【００８８】
これにより、電子表示媒体からの表示情報取得を実現できることとなる。
【００８９】
【発明の効果】
本発明により、最良のコンテンツ表示環境を得る技術を提供することが可能になったである。
【００９０】
具体的には、大きな表示が可能になり、かつ低消費電力であり、長時間の表示にも耐えうる、リアルタイムに情報を書き換えることが可能な新聞、雑誌メディアとして使える電子表示媒体を提供可能になった。
【００９１】
また、コンテンツ情報を直接表示するだけでなく、各人が持つ電子表示媒体に直接的もしくは携帯端末等を通じて間接的に配信することで、ちらしのような大量頒布効果が期待できる電子表示媒体が提供可能になった。
【００９２】
また、コンテンツ仲介装置として使用することが可能で、優れた表示機能を有する電子表示媒体の提供が可能になった。
【００９３】
特に請求項２記載の発明によれば、非接触ＩＣタグが、周波数がホッピングされた信号で前記表示情報を受信可能である非接触ＩＣタグであるため、外部ノイズの影響が少ない電子表示媒体を得ることができる。
【００９４】
また、請求項３記載の発明によれば、簡易な方法で表示情報を書き換えることができ、新聞、雑誌メディア等のように書き換えを頻繁に行なうことが必要な用途にも用いることが可能な、簡便な表示情報書き換え方法を提供することができる。
【００９５】
また、請求項４記載の発明によれば、具体的な電子表示媒体に表示することが可能な表示情報書き換え方法を提供することができる。
【００９６】
請求項５記載の発明によれば、電子表示媒体が有する表示情報を、簡便に携帯端末に配信することが可能な優れた表示情報取得方法を得ることができる。
【図面の簡単な説明】
【図１】本願発明の電子表示媒体の概念正面図である。
【図２】本願発明の電子表示媒体の実際に画像表示を行う場合の一例を示す配線図である。
【図３】本願発明の電子表示媒体に用いられるディスプレイの概略断面図である。
【図４】本願発明の電子表示媒体に用いられるマイクロカプセルの概略断面図である。
【図５】本願発明の電子表示媒体に用いられるマイクロカプセルの駆動状態と表示の関連説明斜視図である。
【図６】本願発明の電子表示媒体に用いられる図５のマイクロカプセルとは別のマイクロカプセルを用いた場合の駆動状態の説明斜視図である。
【図７】本願発明の電子表示媒体に用いられるマイクロカプセルの駆動状態によるカラー化表示の説明断面図である。
【図８】本発明の電子表示媒の表示情報取得方法一実施形態を示すを示すフローチャートである。
【図９】本発明の電子表示媒体の表示情報書き換え方法の一実施形態を示すフローチャートである。
【図１０】本発明の電子表示媒体からの表示情報取得方法の一実施形態を示すフローチャートである。
【符号の説明】
１　　　電子表示媒体
２　　　ＲＯＭ
３　　　ＲＡＭ
４　　　ＣＰＵ
５　　　メモリ
６　　　表示部
７　　　ドライバ
８　　　接続端子
９　　　制御ＩＣ
１１　　ディスプレイ
１１ａ　表面保護層
１１ｂ　電極フィルム
１１ｃ　画像表示層
１１ｄ　電極フィルム
１１ｅ　基材
１１ｆ　カラーフィルタ
３３　　アンテナコイル
３４　　ＲＦ回路
１１０　マイクロカプセル
１１１　カプセル殻
１１３　白の粒子
１１４　黒の粒子
１１５　分散媒
【図１】
2004029259.tif 000003
【図２】
2004029259.tif 000004
【図３】
2004029259.tif 000005
【図４】
2004029259.tif 000006
【図５】
2004029259.tif 000007
【図６】
2004029259.tif 000008
【図７】
2004029259.tif 000009
【図８】
2004029259.tif 000010
【図９】
2004029259.tif 000011
【図１０】
2004029259.tif 000012